(57)【要約】  【課題】挟んだ紙葉類が所定の方向に自然にめくれ難いものとなっているという従来の不具合を解消し得るクリップを提供する。  【解決手段】一対の挟持部材１２を有したクリップ本体１と、一対の操作体２とを備えてなるクリップＡであって、一対の操作体２が、操作姿勢と非操作姿勢（Ｎ）とを採り得るように構成されている。挟持部材１２が、略直線状をなす上縁辺ｈ１と当該上縁辺ｈ１に対して鋭角方向に延びた側縁辺ｈ２とを有する鋭角部ｇ２を備えたものであり、一対の操作体２が、非操作姿勢（Ｎ）において側縁辺ｈ１の仮想延長線ｆに沿って位置するように構成されている。【選択図】図７
2020163665.tif 000002
【特許請求の範囲】
【請求項１】
一対の挟持部材を有しこれらが紙葉類を挟持し得るように相寄る方向に付勢されているクリップ本体と、基端部が前記クリップ本体に対して回転可能に支持され当該基端部の反対側を操作端部とした一対の操作体とを備えてなるクリップであって、
前記一対の操作体が、前記操作端部を操作して前記挟持部材を相離れる方向に移動させ得る操作姿勢と前記挟持部材を操作不能な非操作姿勢とを採り得るように構成されたものであり、
前記挟持部材が、略直線状をなす上縁辺と当該上縁辺に対して鋭角方向に延びた側縁辺とを有する鋭角部を備えたものであり、
前記一対の操作体が、前記非操作姿勢において前記側縁辺の仮想延長線又は前記側縁辺よりも前記上縁辺側に位置するように構成されているクリップ。
【請求項２】
一対の挟持部材を有しこれらが紙葉類を挟持し得るように相寄る方向に付勢されているクリップ本体と、基端部が前記クリップ本体に対して回転可能に支持され当該基端部の反対側を操作端部とした一対の操作体とを備えてなるクリップであって、
前記一対の操作体が、前記操作端部を操作して前記挟持部材を相離れる方向に移動させ得る操作姿勢と前記挟持部材を操作不能な非操作姿勢とを採り得るように構成されたものであり、
前記挟持部材が、略直線状をなす上縁辺と当該上縁辺に対して鋭角方向に延びた側縁辺とを有する鋭角部を備えたものであり、
前記一対の操作体の端縁が、前記非操作姿勢において前記側縁辺の仮想延長線に略合致する位置に設けられているクリップ。
【請求項３】
前記挟持部材及び前記非操作姿勢の前記操作体によって、概略直角三角形状の輪郭を形成したものである請求項２記載のクリップ。
【請求項４】
前記一対の操作体の前記操作端部が、非操作姿勢において前記挟持部材に挟まれた前記紙葉類の外面に添接し得る請求項１、２又は３記載のクリップ。
【請求項５】
前記クリップ本体が、ベース部と、基端部を前記ベース部に接続した前記挟持部材とを一体に備えたものであり、
前記一対の操作体の一部が、前記操作姿勢において前記挟持部材の外面に添接し得る請求項１、２、３又は４記載のクリップ。
【請求項６】
前記一対の操作体が、線状をなすフレーム材により作られたものであって、
略直線状に延設され前記非操作姿勢において前記側縁辺の仮想延長線に沿って配設された第一の操作体構成要素と、この第一の操作体構成要素とは異なる方向に延設された第二の操作体構成要素とを備えたものであり、
前記第一、第二の操作体構成要素の基端部に、前記クリップ本体に枢支される第一、第二の軸が設けられている請求項１、２、３、４又は５記載のクリップ。
【請求項７】
前記第一、第二の軸が、前記第一、第二の操作体構成要素に対して内方に向かって突設されたものであり、前記一対の挟持部材の先端部に設けた軸受けに支持されている請求項６記載のクリップ。
【請求項８】
前記一対の操作体が、前記非操作姿勢において前記挟持部材の外面に添接し得るものである請求項１記載のクリップ。
【請求項９】
一対の挟持部材を有しこれらが紙葉類を挟持し得るように相寄る方向に付勢されているクリップ本体と、基端部が前記クリップ本体に対して回転可能に支持され当該基端部の反対側を操作端部とした一対の操作体とを備えてなるクリップであって、
前記一対の操作体が、前記操作端部を操作して前記挟持部材を相離れる方向に移動させ得る操作姿勢と前記挟持部材を操作不能な非操作姿勢とを採り得るように構成されたものであり、
前記挟持部材が、略直線状をなす上縁辺を備えたものであり、前記一対の操作体が、前記上縁辺に対して傾斜する方向に略直線状に延びてなる端縁を備えたものであり、
前記クリップ本体が、前記非操作姿勢における前記端縁の仮想延長線に干渉しない位置に設けられているクリップ。
【発明の詳細な説明】
【技術分野】
【０００１】
本発明は、用紙等を挟むクリップに関する。
【背景技術】
【０００２】
従来から、特許文献１に記載されたようなクリップが周知である。この種のクリップは、ダブルクリップとも称されるものであり、複数枚の用紙等を挟んで纏めるという機能を発揮し得るものである。
【０００３】
この種のクリップでは、重ね合わされた複数枚の用紙の角部分（特に用紙の左上の角部分）を挟む使用形態が知られている。このとき、クリップにより挟まれた複数枚の用紙は、使用者により上層側から順次クリップ側に向かってめくられ得るものとなっている。
【０００４】
ところが、従来のものは、クリップ本体の角部分（用紙の中央部側に近い方の角部分を指す。）が、めくられた用紙の折り曲がり位置に点的に当接し得るものとなっており、これに起因する不具合が生じていた。すなわち、めくられた用紙に傷がつきやすく、また、用紙に対してピンポイントな負荷が作用し得るため所定の方向に自然にめくれ難いものとなっていた。
【０００５】
なお、以上の事情は用紙を挟む場合に限られるものではなく、シート状をなす種々の紙葉類を挟む場合においても同様である。
【先行技術文献】
【特許文献】
【０００６】
【特許文献１】実用新案登録第３１８９２３５号公報
【発明の概要】
【発明が解決しようとする課題】
【０００７】
本発明は、以上のような事情に着目してなされたもので、少なくとも、挟んだ紙葉類が所定の方向に自然にめくれ難いものとなっているという従来の不具合を解消し得るクリップを提供することにある。
【課題を解決するための手段】
【０００８】
すなわち、本発明は次の構成をなしている。
【０００９】
請求項１に記載の発明は、一対の挟持部材を有しこれらが紙葉類を挟持し得るように相寄る方向に付勢されているクリップ本体と、基端部が前記クリップ本体に対して回転可能に支持され当該基端部の反対側を操作端部とした一対の操作体とを備えてなるクリップであって、前記一対の操作体が、前記操作端部を操作して前記挟持部材を相離れる方向に移動させ得る操作姿勢と前記挟持部材を操作不能な非操作姿勢とを採り得るように構成されたものであり、前記挟持部材が、略直線状をなす上縁辺と当該上縁辺に対して鋭角方向に延びた側縁辺とを有する鋭角部を備えたものであり、前記一対の操作体が、前記非操作姿勢において前記側縁辺の仮想延長線又は前記側縁辺よりも前記上縁辺側に位置するように構成されているクリップである。
【００１０】
請求項２に記載の発明は、一対の挟持部材を有しこれらが紙葉類を挟持し得るように相寄る方向に付勢されているクリップ本体と、基端部が前記クリップ本体に対して回転可能に支持され当該基端部の反対側を操作端部とした一対の操作体とを備えてなるクリップであって、前記一対の操作体が、前記操作端部を操作して前記挟持部材を相離れる方向に移動させ得る操作姿勢と前記挟持部材を操作不能な非操作姿勢とを採り得るように構成されたものであり、前記挟持部材が、略直線状をなす上縁辺と当該上縁辺に対して鋭角方向に延びた側縁辺とを有する鋭角部を備えたものであり、前記一対の操作体の端縁が、前記非操作姿勢において前記側縁辺の仮想延長線に略合致する位置に設けられているクリップである。
【００１１】
請求項３に記載の発明は、前記挟持部材及び前記非操作姿勢の前記操作体によって、概略直角三角形状の輪郭を形成したものである請求項２記載のクリップである。
【００１２】
請求項４に記載の発明は、前記一対の操作体の前記操作端部が、非操作姿勢において前記挟持部材に挟まれた前記紙葉類の外面に添接し得る請求項１、２又は３記載のクリップである。
【００１３】
請求項５に記載の発明は、前記クリップ本体が、ベース部と、基端部を前記ベース部に接続した前記挟持部材とを一体に備えたものであり、前記一対の操作体の一部が、前記操作姿勢において前記挟持部材の外面に添接し得る請求項１、２、３又は４記載のクリップである。
【００１４】
請求項６に記載の発明は、前記一対の操作体が、線状をなすフレーム材により作られたものであって、略直線状に延設され前記非操作姿勢において前記側縁辺の仮想延長線に沿って配設された第一の操作体構成要素と、この第一の操作体構成要素とは異なる方向に延設された第二の操作体構成要素とを備えたものであり、前記第一、第二の操作体構成要素の基端部に、前記クリップ本体に枢支される第一、第二の軸が設けられている請求項１、２、３、４又は５記載のクリップである。
【００１５】
請求項７に記載の発明は、前記第一、第二の軸が、前記第一、第二の操作体構成要素に対して内方に向かって突設されたものであり、前記一対の挟持部材の先端部に設けた軸受けに支持されている請求項６記載のクリップである。
【００１６】
請求項８に記載の発明は、前記一対の操作体が、前記非操作姿勢において前記挟持部材の外面に添接し得るものである請求項１記載のクリップである。
【００１７】
請求項９に記載の発明は、一対の挟持部材を有しこれらが紙葉類を挟持し得るように相寄る方向に付勢されているクリップ本体と、基端部が前記クリップ本体に対して回転可能に支持され当該基端部の反対側を操作端部とした一対の操作体とを備えてなるクリップであって、前記一対の操作体が、前記操作端部を操作して前記挟持部材を相離れる方向に移動させ得る操作姿勢と前記挟持部材を操作不能な非操作姿勢とを採り得るように構成されたものであり、前記挟持部材が、略直線状をなす上縁辺を備えたものであり、前記一対の操作体が、前記上縁辺に対して傾斜する方向に略直線状に延びてなる端縁を備えたものであり、前記クリップ本体が、前記非操作姿勢における前記端縁の仮想延長線に干渉しない位置に設けられているクリップである。
【発明の効果】
【００１８】
以上説明したように本発明によれば、少なくとも、挟んだ紙葉類が所定の方向に自然にめくれ難いものとなっているという不具合を解消し得るクリップを提供することができる。
【図面の簡単な説明】
【００１９】
【図１】本発明の一実施形態を示す正面図。
【図２】同実施形態における背面図。
【図３】同実施形態における右側面図。
【図４】同実施形態における右側面図。
【図５】同実施形態における正面図。
【図６】同実施形態における使用状態を説明する正面図。
【図７】同実施形態における使用状態を説明する正面図。
【図８】他の実施形態及びその使用状態を説明する正面図。
【図９】他の実施形態及びその使用状態を説明する背面図。
【図１０】他の実施形態及びその使用状態を説明する正面図。
【図１１】他の実施形態を説明する正面図。
【図１２】他の実施形態及びその使用状態を説明する正面図。
【図１３】他の実施形態を説明する正面図。
【図１４】他の実施形態及びその使用状態を説明する正面図。
【図１５】他の実施形態を説明する正面図。
【図１６】他の実施形態及びその使用状態を説明する正面図。
【発明を実施するための形態】
【００２０】
以下、本発明の一実施形態を、図１〜７を参照して説明する。
【００２１】
この実施形態は、本発明を、ダブルクリップとも称されるクリップＡに適用したものである。
【００２２】
クリップＡは、図６、及び、図７に示すように、複数枚の紙葉類たる用紙Ｐを挟み得るものであり、当該複数枚の用紙Ｐを挟んだ状態を維持することができるものである。クリップＡは、一対の挟持部材１２を有し当該一対の挟持部材１２の先端部ｓｔが複数枚の用紙Ｐを挟持し得るように板バネ作用により相寄る方向に付勢されているクリップ本体１と、基端部たる第一、第二の軸ｊ１、ｊ２がクリップ本体１に対して回転可能に支持され第一、第二の軸ｊ１、ｊ２の反対側を操作端部Ｅとした一対の操作体２とを備えてなる。
【００２３】
クリップＡは、重ね合わされた複数枚の用紙Ｐにおける周縁部の種々の部位を挟み得るものである。この実施形態では、図６、及び、図７に示すように、クリップＡは、略矩形状をなす用紙Ｐの正面視における左上角部に図示する姿勢（一対の挟持部材１２の先端部ｓｔが下端に位置し基端部ｋｔが上端に位置する姿勢）に取り付けられ、その状態で、めくられた用紙Ｐの折り曲げ位置及び折り曲げ方向をガイドする機能を発揮し得るものとなっている。
【００２４】
クリップ本体１は、金属板により一体に構成されたものである。クリップ本体１は、図３に示すように、側面視において前後方向に延びるとともに平面視において略矩形板状をなすベース部１１と、基端部ｋｔをベース部１１の前端部及び後端部に接続した一対の挟持部材１２とを一体に備えている。
【００２５】
クリップ本体１は、使用者の操作力を受けない状態において、一対の挟持部材１２の先端部ｓｔ同士が相寄る方向に付勢された板バネを構成したものである。一対の挟持部材１２は、操作姿勢（Ｓ）にある一対の操作体２を操作することにより、先端部ｓｔ同士が相離れる方向に移動し得るものとなっている。
【００２６】
すなわち、一対の挟持部材１２は、クリップ本体１全体の板バネ作用により先端部ｓｔ同士が相寄る方向に付勢されている。この相寄る方向の付勢力に抗して、使用者が操作姿勢（Ｓ）にある一対の操作体２の操作端部Ｅを梃子を利用して相寄る方向に操作することにより、一対の挟持部材１２の先端部ｓｔは用紙Ｐを挟むべく相離れる方向に一時的に移動し得るものとなっている。
【００２７】
一対の挟持部材１２は、前後に対をなして配設されている。挟持部材１２は、平板状をなす挟持部材本体１２１と、挟持部材本体１２１の先端部ｓｔ外面側に設けられ一対の操作体２を回転可能に保持し得る軸受け１２２とを備えている。
【００２８】
挟持部材本体１２１は、正面視略矩形状をなす基部ｇ１と、この基部ｇ１の側部に連続して設けられ正面視において略三角形状をなす鋭角部ｇ２とを備えている。
【００２９】
基部ｇ１は用紙Ｐを挟む主要部を構成したものである。基部ｇ１の先端部ｓｔすなわち正面視における下端部の外面側には、一対の操作体２に設けた第一、第二の軸ｊ１、ｊ２を回転可能に支持し得る筒状の形態をなす軸受け１２２が設けられている。
【００３０】
鋭角部ｇ２は、正面視における挟持部材本体１２１の右端の部位及び背面視における左端の部位を構成している。鋭角部ｇ２は三角形状をなしている。換言すれば、一対の挟持部材１２の内、前側に位置する挟持部材１２の鋭角部ｇ２は、正面視において基部ｇ１の右側に連設されており、後側に位置する挟持部材１２の鋭角部ｇ２は、背面視において基部ｇ１の左側に連設されている。
【００３１】
鋭角部ｇ２は、正面視における右上の角部αが鋭角に構成されているとともに背面視における左上の角部αが鋭角に構成されている。鋭角部ｇ２は、略直線状をなす上縁辺ｈ１と、上縁辺ｈ１に対して鋭角方向すなわち上縁辺ｈ１に対して斜め方向に延びた側縁辺ｈ２とを有してなるものである。
【００３２】
一対の操作体２は、線状をなす金属性のフレーム材を曲げ成形することにより作られたものである。一対の操作体２は、前後に対をなして配設され、それぞれクリップ本体１に対して回転可能に支持されている。一対の操作体２は、操作端部Ｅを操作して一対の挟持部材１２を相離れる方向に移動させ得る操作姿勢（Ｓ）と一対の挟持部材１２を操作不能な（先端部ｓｔ同士を相離れる方向に操作できない）非操作姿勢（Ｎ）とを採り得るように構成されている。
【００３３】
一対の操作体２は、図１、図２、図６、及び、図７に示すように、略直線状に延設され非操作姿勢（Ｎ）において水平方向に対して傾斜した方向に延びてなるとともに側縁辺ｈ２の仮想延長線ｆに沿って配設された第一の操作体構成要素２１と、第一の操作体構成要素２１とは異なる方向である上下方向に延設された第二の操作体構成要素２２と、第一、第二の操作体構成要素２１、２２の先端部間を繋ぐ湾曲状をなした操作端部Ｅである操作端部構成要素２３と、第一、第二の操作体構成要素２１、２２の基端部にそれぞれ突設されクリップ本体１の軸受け１２２に枢支される第一、第二の軸ｊ１、ｊ２を備えたものである。
【００３４】
第一、第二の軸ｊ１、ｊ２は、第一、第二の操作体構成要素２１、２２に対して内方に向かって突設されている。すなわち、第一、第二の軸ｊ１、ｊ２は、第一、第二の操作体構成要素２１、２２の各基端から相寄る方向に突出したものとなっている。
【００３５】
一対の操作体２は、全体として、角部分に丸みを帯びた概略三角形状の輪郭を形成したものとなっている。なお、この実施形態では、挟持部材１２及び非操作姿勢（Ｎ）の操作体２によって、概略直角三角形状の輪郭を形成したものとなっている。換言すれば、操作体２を非操作姿勢（Ｎ）としたクリップＡは、正面視又は背面視において全体として概略直角三角形状の輪郭を形成したものとなっている。
【００３６】
一対の操作体２の各操作端部Ｅは、図６に示すように、非操作姿勢（Ｎ）において一対の挟持部材１２に挟まれた用紙Ｐの外面ｐ１に添接し得るものとなっている。また、図４、及び、図５に示すように、一対の操作体２の一部である第一、第二の操作体構成要素２１、２２の基端側の部分が、操作姿勢（Ｓ）において挟持部材本体１２１の外面１２ｓに添接し得るものとなっている。
【００３７】
なお、対をなす操作体２は、それぞれが図示しない付勢手段により、非操作姿勢（Ｎ）に近い位置にある場合には非操作姿勢（Ｎ）方向に付勢され得るものとなっており、操作姿勢（Ｓ）に近い位置にある場合には操作姿勢（Ｓ）方向に付勢され得るものとなっている。
【００３８】
しかして、この実施形態のクリップＡにおける一対の操作体２の第一の操作体構成要素２１は、非操作姿勢（Ｎ）においてクリップ本体１の側縁辺ｈ２の仮想延長線ｆに沿って位置するように構成されたものとなっている。より具体的に言えば、クリップＡは、一対の操作体２の一部である第一の操作体構成要素２１が、非操作姿勢（Ｎ）において一対の挟持部材１２における側縁辺ｈ２の仮想延長線ｆに略合致する位置に設けられたものとなっている。
【００３９】
そして、クリップ本体１の側縁辺ｈ２、及び、一対の操作体２における非操作姿勢（Ｎ）の第一の操作体構成要素２１の外方端縁によって、ベース部１１の長手方向に対して斜め方向に略直線状に延びてなり、めくられる用紙Ｐに当接して当該用紙Ｐの折り曲がり位置、及び、折れ曲がり方向を誘導するガイド線Ｌが形成されたものとなっている。
【００４０】
以上説明したように、本実施形態に係るクリップＡは、一対の挟持部材１２を有しこれらが紙葉類たる用紙Ｐを挟持し得るように相寄る方向に付勢されているクリップ本体１と、基端部たる第一、第二の軸ｊ１、ｊ２がクリップ本体１に対して回転可能に支持され当該基端部たる第一、第二の軸ｊ１、ｊ２の反対側を操作端部Ｅとした一対の操作体２とを備えてなる。
【００４１】
そして、一対の操作体２が、操作端部Ｅを操作して挟持部材１２を相離れる方向に移動させ得る操作姿勢（Ｓ）と挟持部材１２を操作不能な非操作姿勢（Ｎ）とを採り得るように構成されている。挟持部材１２が、略直線状をなす上縁辺ｈ１と当該上縁辺ｈ１に対して鋭角方向に延びた側縁辺ｈ２とを有する鋭角部ｇ２を備えたものであり、一対の操作体２の一端縁である第一の操作体構成要素２１の外方端縁が、非操作姿勢（Ｎ）において側縁辺ｈ２の仮想延長線ｆに沿って位置するように構成されている。
【００４２】
このため、めくられた用紙Ｐの折り曲がり位置、及び、折れ曲がり方向が、所定の位置及び方向に適切にガイドされ得るものとなる。すなわち、めくられた用紙Ｐは、クリップ本体１の側縁辺ｈ２と操作体２の第一の操作体構成要素２１の端縁により定められた略直線状のガイド線に沿って折り曲がり位置が規定され、且つ、ガイド線と略直交する方向に安定して折れ曲がり易くなる。つまり、本実施形態のクリップＡは、挟んだ紙葉類たる用紙Ｐが所定の方向に自然にめくれ易いものとなっている。換言すれば、めくられた用紙Ｐの姿勢が整然としたものとなり易く、使用者の利便性の向上に寄与し得るものとなっている。
【００４３】
挟持部材１２が、略直線状をなす上縁辺ｈ１と当該上縁辺ｈ１に対して鋭角方向に延びた側縁辺ｈ２とを有する鋭角部ｇ２を備えている。そして、一対の操作体２における一端縁である第一の操作体構成要素２１の端縁が、非操作姿勢（Ｎ）において側縁辺ｈ２の仮想延長線ｆに沿って位置するように構成されている。換言すれば、一対の操作体２の一部が、非操作姿勢（Ｎ）において側縁辺ｈ２の仮想延長線ｆに略合致する位置に設けられている。
【００４４】
このため、めくられた用紙Ｐは、鋭角部ｇ２の側縁辺ｈ２及び当該側縁辺ｈ２の仮想延長線ｆに沿って位置する操作体２の一部分の物理的作用によって、折れ曲がる位置が誘導されるものとなり、めくられた用紙Ｐの折り曲がり位置、及び、折れ曲がり方向が安定し得るものとなる。
【００４５】
この結果、めくられた複数枚の用紙Ｐは、整然とした姿勢に保持されやすいものとなる。換言すれば、使用者は、この実施形態のクリップＡを使用することにより、めくられた用紙Ｐの姿勢がばらついてしまうという現象を目の当たりにすることが抑制され、用紙Ｐがばらつくことに起因する不快な思い受けることが好適に抑制され得るものとなっている。
【００４６】
挟持部材１２及び非操作姿勢（Ｎ）の操作体２によって、概略直角三角形状の輪郭を形成したものとなっている。このため、クリップＡは、用紙Ｐの角部を挟持する際に好適な外観を提供し得るものとなっている。
【００４７】
すなわち、矩形状をなす用紙Ｐの角部に取り付けられたクリップＡは、直交し合う二辺の輪郭線が用紙Ｐの端縁に沿ったものとなるとともに他の一辺が傾斜したものとなるため、見栄えの良い好適な外観を提供し得るものとなっている。しかも、かかる形態のクリップＡであれば用紙Ｐの角部における比較的狭い領域内において適切に用紙Ｐを挟むことができるものとなっている。
【００４８】
一対の操作体２の操作端部が、非操作姿勢（Ｎ）において挟持部材１２に挟まれた紙葉類たる用紙Ｐの外面ｐ１に添接し得るものである。このため、操作体２の一部が、非操作姿勢（Ｎ）において用紙Ｐの外面ｐ１に近接した位置に配設されるものとなる。このため、一対の操作体２は、クリップ本体１の側縁辺ｈ２と協働することにより、めくられた用紙Ｐの折り曲げ位置及び折れ曲がり方向を適切に誘導し得るものとなっている。
【００４９】
クリップ本体１が、ベース部１１と、基端部をベース部１１に接続した挟持部材１２とを一体に備えたものであり、一対の操作体２の一部が、操作姿勢（Ｓ）において挟持部材１２の外面１２ｓに添接し得るものである。このため、クリップ本体１は、一対の操作体２により挟持部材１２を操作し得るシンプルな形態を採りやすいものとなっている。
【００５０】
一対の操作体２が、線状をなすフレーム材により作られたものであって、略直線状に延設され非操作姿勢（Ｎ）において側縁辺ｈ２の仮想延長線ｆに沿って配設された第一の操作体構成要素２１と、第一の操作体構成要素２１とは異なる方向に延設された第二の操作体構成要素２２とを備えたものであり、第一、第二の操作体構成要素２１、２２の基端部に、クリップ本体１に枢支される第一、第二の軸ｊ１、ｊ２が設けられている。このため、一対の操作体２は、クリップ本体１に枢着し得るとともに所期の目的を達成し得るための成形し易さに優れたものとなっている。
【００５１】
第一、第二の軸ｊ１、ｊ２が、第一、第二の操作体構成要素２１、２２に対して内方に向かって突設されたものであり、一対の挟持部材１２の先端部ｓｔに設けた軸受け１２２に支持されている。このため、一対の操作体２がコンパクトな外形を有しつつクリップ本体１に好適に枢着し得るものとなっている。
【００５２】
なお、本発明は、以上に詳述した実施形態に限られるものではない。
【００５３】
クリップは、例えば、他の実施形態として図示された図８〜１６に示すような構成のものであってもよい。
【００５４】
他の実施形態であるクリップＢを図８〜１０を参照しつつ説明する。
【００５５】
他の実施形態（図８〜１０）であるクリップＢは、一対の挟持部材たる添接板４を有しこれらが紙葉類たる用紙Ｐを挟持し得るようにクリップ部材３により相寄る方向に付勢されているクリップ本体Ｃと、基端部たる第一、第二の軸ｊｋ１、ｊｋ２がクリップ本体Ｃのクリップ部材３に対して回転可能に支持され当該基端部たる第一、第二の軸ｊｋ１、ｊｋ２の反対側を操作端部Ｈとした一対の操作体Ｄとを備えてなるものである。
【００５６】
クリップ本体Ｃを構成する添接板４は、板バネ状をなすクリップ部材３における対をなす挟圧板３２の先端部ｓｔに回動可能に支持されている。対をなす挟圧板３２の基端部ｋｔ間すなわち上端部間は図示しない接続板が一体に接続したものとなっている。
【００５７】
そして、一対の操作体Ｄが、図８、図９の実線により示すように、操作端部Ｈを操作してクリップ部材３を介して一対の添接板Ｄを相離れる方向に移動させ得る操作姿勢（Ｓ）と、図８、図９の想像線及び図１０により示すように、添接板４を操作不能な非操作姿勢（Ｎ）とを採り得るように構成されている。
【００５８】
添接板４は、略三角形状をなす板状のものであり、左右方向に略直線状をなす上縁辺ｈ１１と当該上縁辺ｈ１２に対して鋭角方向に延びた側縁辺ｈ１２とを有する鋭角部４１を主体に構成されたものとなっている。
【００５９】
しかして、一対の操作体Ｄが、非操作姿勢（Ｎ）において添接板４の側縁辺ｈ１２よりも上縁辺ｈ１１側に位置するように構成されている。一対の操作体Ｄが、非操作姿勢（Ｎ）において添接板４の外面４ｓに添接し得るものとなっている。
【００６０】
このようなものであっても、一対の操作体Ｄが、非操作姿勢（Ｎ）においてめくられた用紙Ｐの邪魔になることが無く、添接板４の側縁辺ｈ１２がめくられた用紙Ｐの折れ曲がり位置及び折れ曲がり方向をガイドし得るものとなるため、所期の目的を達成し得るものとなっている。
【００６１】
さらに他の実施形態であるクリップＡを、図１１〜１２を参照しつつ説明する。なお、図１１〜１２において、最初の実施形態に示したものと同一又は相当する構成については同一の符号を付して説明するものとする。
【００６２】
他の実施形態（図１１〜１２）であるクリップＡは、一対の挟持部材１２を有しこれらが紙葉類たる用紙Ｐを挟持し得るように相寄る方向に付勢されているクリップ本体１と、基端部ｋｔがクリップ本体１に対して回転可能に支持され当該基端部ｋｔの反対側を操作端部ｓｔとした一対の操作体２とを備えてなる。そして、一対の操作体２が、操作端部Ｅを操作して挟持部材１２を相離れる方向に移動させ得る操作姿勢（Ｓ）と挟持部材１２を操作不能な非操作姿勢（Ｎ）とを採り得るように構成されたものである。挟持部材１２が、その両側部に、略直線状をなす上縁辺ｈ１と当該上縁辺ｈ１に対して鋭角方向に延びた側縁辺ｈ２とを有する鋭角部ｇ２を備えている。一対の操作体２が、非操作姿勢（Ｎ）において左右に対をなして配された両側縁辺ｈ２の仮想延長線ｆよりも上縁辺ｈ１側に位置するように構成されている。
【００６３】
このようなものであっても、一対の操作体２が、非操作姿勢（Ｎ）においてめくられた用紙Ｐの邪魔になることが無く、挟持部材１２における何れか一方の側縁辺ｈ１２がめくられた用紙Ｐの折れ曲がり位置及び折れ曲がり方向をガイドし得るものとなるため、所期の目的を達成し得るものとなっている。
【００６４】
さらに他の実施形態であるクリップＡを、図１３〜１４を参照しつつ説明する。なお、図１３〜１４において、最初の実施形態に示したものと同一又は相当する構成については同一の符号を付して説明するものとする。
【００６５】
他の実施形態（図１３〜１４）であるクリップＡは、一対の挟持部材１２を有しこれらが紙葉類たる用紙Ｐを挟持し得るように相寄る方向に付勢されているクリップ本体１と、基端部ｋｔがクリップ本体１に対して回転可能に支持され当該基端部ｋｔの反対側を操作端部ｓｔとした一対の操作体２とを備えてなる。そして、一対の操作体２が、操作端部Ｅを操作して挟持部材１２を相離れる方向に移動させ得る操作姿勢（Ｓ）と挟持部材１２を操作不能な非操作姿勢（Ｎ）とを採り得るように構成されたものである。挟持部材１２が、略直線状をなす上縁辺ｈ１と、上縁辺ｈ１と略直交する方向に延びた側縁辺ｈｖとを備えた正面視略矩形状のものとなっている。
【００６６】
一対の操作体２が、線状をなすフレーム材により作られている。一対の操作体２は、略直線状に延設され非操作姿勢（Ｎ）において上縁辺ｈ１に対して傾斜する方向に略直線状に延びてなる端縁を備えた第一の操作体構成要素２１と、第一の操作体構成要素２１とは異なる方向である上下方向に延設された第二の操作体構成要素２２とを備えている。第一、第二の操作体構成要素２１、２２の基端部に、第一、第二の軸ｊ１、ｊ２が設けられている。第一、第二の軸ｊ１、ｊ２は、クリップ本体１に設けた軸受け１２２に対して内方から外方に向かって挿入され、当該軸受け１２２に枢支されるものとなっている。しかして、クリップ本体１が、非操作姿勢（Ｎ）における第一の操作体構成要素２１の端縁の仮想延長線ｆに干渉しない位置に設けられている。
【００６７】
このようなものであっても、一対の操作体２が、非操作姿勢（Ｎ）においてめくられた用紙Ｐの邪魔になることが無く、第一の操作体構成要素２１の傾斜した端縁がめくられた用紙Ｐの折れ曲がり位置及び折れ曲がり方向をガイドし得るものとなるため、所期の目的を達成し得るものとなっている。
【００６８】
さらに他の実施形態であるクリップＡを、図１５〜１６を参照しつつ説明する。なお、図１５〜１６において、最初の実施形態に示したものと同一又は相当する構成については同一の符号を付して説明するものとする。
【００６９】
他の実施形態（図１５〜１６）であるクリップＡは、挟持部材１２及び非操作姿勢（Ｎ）の操作体２によって、概略二等辺三角形状の輪郭を形成したものである。クリップＡは、一対の挟持部材１２を有しこれらが紙葉類たる用紙Ｐを挟持し得るように相寄る方向に付勢されているクリップ本体１と、基端部ｋｔがクリップ本体１に対して回転可能に支持され当該基端部ｋｔの反対側を操作端部ｓｔとした一対の操作体２とを備えてなる。そして、一対の操作体２が、操作端部Ｅを操作して挟持部材１２を相離れる方向に移動させ得る操作姿勢（Ｓ）と挟持部材１２を操作不能な非操作姿勢（Ｎ）とを採り得るように構成されたものである。挟持部材１２が、その両側端部に、略直線状をなす上縁辺ｈ１と当該上縁辺ｈ１に対して鋭角方向に延びた側縁辺ｈ２とを有する鋭角部ｇ２を備えている。一対の操作体２が、非操作姿勢（Ｎ）において左右に対をなして配された両側縁辺ｈ２の仮想延長線ｆよりも上縁辺ｈ１側に位置するように構成されている。
【００７０】
このようなものであっても、一対の操作体２が、非操作姿勢（Ｎ）においてめくられた用紙Ｐの邪魔になることが無く、挟持部材１２の側縁辺ｈ１２がめくられた用紙Ｐの折れ曲がり位置及び折れ曲がり方向をガイドし得るものとなるため、所期の目的を達成し得るものとなっている。
【００７１】
上記した各実施形態における各部の具体的構成については、各実施形態に示されたものに限られるものではなく、本発明の趣旨を逸脱しない範囲で種々変形が可能である。
【００７２】
クリップ本体や一対の操作体の形状及び材質は、本発明の趣旨を逸脱しない範囲で種々の形状を採り得るものである。
【００７３】
その他、各部の具体的構成についても上記実施形態に限られるものではなく、本発明の趣旨を逸脱しない範囲で種々変形が可能である。
【符号の説明】
【００７４】
Ａ…クリップ
１…クリップ本体
２…操作体
１１…ベース部
１２…挟持部材
１２１…挟持部材本体
１２２…軸受け
ｇ１…基部
ｇ２…鋭角部
【図１】
2020163665.tif 000003
【図２】
2020163665.tif 000004
【図３】
2020163665.tif 000005
【図４】
2020163665.tif 000006
【図５】
2020163665.tif 000007
【図６】
2020163665.tif 000008
【図７】
2020163665.tif 000009
【図８】
2020163665.tif 000010
【図９】
2020163665.tif 000011
【図１０】
2020163665.tif 000012
【図１１】
2020163665.tif 000013
【図１２】
2020163665.tif 000014
【図１３】
2020163665.tif 000015
【図１４】
2020163665.tif 000016
【図１５】
2020163665.tif 000017
【図１６】
2020163665.tif 000018